(57)【要約】      （修正有）【課題】ユーザが興味を示す対象物をより広い範囲に亘って特定する情報処理システム及びプログラムを提出する。【解決手段】情報処理システム（管理サーバ３００）は、ユーザが興味を示したことを示す所作を検出する所作検出手段、所作が検出された際のユーザの周辺の状況についての情報である周辺状況情報を取得する状況情報取得手段を備える。情報処理システムは更に、ユーザの所作の要因を検出する要因検出手段を備える。要因検出手段は、所作が検出された際に取得された周辺状況情報から、ユーザの所作の要因を検出する。【選択図】図４
2020064376.tif 000002
【特許請求の範囲】
【請求項１】
ユーザが興味を示したことを示す所作を検出する所作検出手段と、
ユーザの前記所作が検出された際の当該ユーザの周辺の状況についての情報である周辺状況情報を取得する状況情報取得手段と、
を備える情報処理システム。
【請求項２】
前記状況情報取得手段により取得された前記周辺状況情報から、前記ユーザの前記所作の要因を検出する要因検出手段を更に備える請求項１に記載の情報処理システム。
【請求項３】
前記要因検出手段は、前記所作が検出された際に前記ユーザの周辺にて起きた事象を、前記所作の要因として検出する請求項２に記載の情報処理システム。
【請求項４】
前記要因検出手段は、前記所作が検出された際に前記ユーザの視線の先にて起きた事象を、前記所作の要因として検出する請求項２に記載の情報処理システム。
【請求項５】
前記要因検出手段は、前記所作が検出された際に前記ユーザの周囲にてなされていた放送を、前記所作の要因として検出する請求項２に記載の情報処理システム。
【請求項６】
前記ユーザの位置情報を取得する位置情報取得手段と、
前記状況情報取得手段は、前記周辺状況情報として、前記位置情報により特定される位置の周辺にて実行されるイベントについての情報を取得し、
前記要因検出手段は、前記所作が検出された際に前記ユーザの周辺にて実行されているイベントを、前記所作の要因として検出する請求項２に記載の情報処理システム。
【請求項７】
前記要因検出手段は、前記所作が検出された際に前記ユーザの周囲に位置する人物を、前記所作の要因として検出する請求項２に記載の情報処理システム。
【請求項８】
前記要因検出手段は、前記所作検出手段が設けられている機器以外にて起きた事象の中から、前記所作の要因を検出する請求項２に記載の情報処理システム。
【請求項９】
前記所作検出手段は、ユーザが興味を示したことを示す前記所作として、ユーザが特定の方向を予め定められた時間を超えて見る動作を検出する請求項１に記載の情報処理システム。
【請求項１０】
前記所作検出手段は、ユーザが興味を示したことを示す前記所作として、予め定められた内容の音声を発する動作を検出する請求項１に記載の情報処理システム。
【請求項１１】
前記所作検出手段は、ユーザが興味を示したことを示す前記所作として、ユーザが一方向に向かって移動する動作を検出する請求項１に記載の情報処理システム。
【請求項１２】
前記所作検出手段は、ユーザが興味を示したことを示す前記所作として、ユーザの顔の表情の変化を検出する請求項１に記載の情報処理システム。
【請求項１３】
前記所作検出手段は、ユーザが興味を示したことを示す前記所作として、ユーザが特定の機器に触れる動作を検出する請求項１に記載の情報処理システム。
【請求項１４】
前記所作検出手段は、ユーザが興味を示したことを示す前記所作として、同意又は反同意の何れかを示す動きを検出する請求項１に記載の情報処理システム。
【請求項１５】
ユーザが興味を示したことを示す所作を検出する所作検出機能と、
ユーザの前記所作が検出された際の当該ユーザの周辺の状況についての情報である周辺状況情報を取得する状況情報取得機能と、
をコンピュータに実現させるためのプログラム。
【発明の詳細な説明】
【技術分野】
【０００１】
本発明は、情報処理システムおよびプログラムに関する。
【背景技術】
【０００２】
特許文献１には、筺体と、スピーカとを備えるコミュニケーションロボットが、特定の音素を含む音を発する動作を実行する処理が開示されている。
【先行技術文献】
【特許文献】
【０００３】
【特許文献１】ＷＯ２０１６／６８２６２
【発明の概要】
【発明が解決しようとする課題】
【０００４】
ユーザが興味を示す対象物の特定にあたっては、対象となる対象物をユーザに提示し、ユーザからの回答を得ることで、ユーザが対象物に対して興味があるか否かの判断を行える。具体的には、たとえば、スマートフォンやタブレット、ＰＣ等にて、対象物を提示し、これに対して行われる「いいね」等の操作に基づき、ユーザが対象物に対して興味があるか否かの判断を行える。
ところで、この場合は、ユーザの興味があるか否かの判断の対象となる対象物の範囲が、ユーザに提示される対象物に限られてしまう。
本発明の目的は、ユーザが興味を示す対象物をより広い範囲に亘って特定できるようにすることにある。
【課題を解決するための手段】
【０００５】
本発明が適用される情報処理システムは、ユーザが興味を示したことを示す所作を検出する所作検出手段と、ユーザの前記所作が検出された際の当該ユーザの周辺の状況についての情報である周辺状況情報を取得する状況情報取得手段と、を備える情報処理システムである。
ここで、前記状況情報取得手段により取得された前記周辺状況情報から、前記ユーザの前記所作の要因を検出する要因検出手段を更に備えることを特徴とすることができる。
また、前記要因検出手段は、前記所作が検出された際に前記ユーザの周辺にて起きた事象を、前記所作の要因として検出することを特徴とすることができる。
また、前記要因検出手段は、前記所作が検出された際に前記ユーザの視線の先にて起きた事象を、前記所作の要因として検出することを特徴とすることができる。
また、前記要因検出手段は、前記所作が検出された際に前記ユーザの周囲にてなされていた放送を、前記所作の要因として検出することを特徴とすることができる。
また、前記ユーザの位置情報を取得する位置情報取得手段と、前記状況情報取得手段は、前記周辺状況情報として、前記位置情報により特定される位置の周辺にて実行されるイベントについての情報を取得し、前記要因検出手段は、前記所作が検出された際に前記ユーザの周辺にて実行されているイベントを、前記所作の要因として検出することを特徴とすることができる。
【０００６】
また、前記要因検出手段は、前記所作が検出された際に前記ユーザの周囲に位置する人物を、前記所作の要因として検出することを特徴とすることができる。
また、前記要因検出手段は、前記所作検出手段が設けられている機器以外にて起きた事象の中から、前記所作の要因を検出することを特徴とすることができる。
また、前記所作検出手段は、ユーザが興味を示したことを示す前記所作として、ユーザが特定の方向を予め定められた時間を超えて見る動作を検出することを特徴とすることができる。
また、前記所作検出手段は、ユーザが興味を示したことを示す前記所作として、予め定められた内容の音声を発する動作を検出することを特徴とすることができる。
また、前記所作検出手段は、ユーザが興味を示したことを示す前記所作として、ユーザが一方向に向かって移動する動作を検出することを特徴とすることができる。
また、前記所作検出手段は、ユーザが興味を示したことを示す前記所作として、ユーザの顔の表情の変化を検出することを特徴とすることができる。
また、前記所作検出手段は、ユーザが興味を示したことを示す前記所作として、ユーザが特定の機器に触れる動作を検出することを特徴とすることができる。
また、前記所作検出手段は、ユーザが興味を示したことを示す前記所作として、同意又は反同意の何れかを示す動きを検出することを特徴とすることができる。
【０００７】
また、本発明をプログラムとして捉えた場合、本発明が適用されるプログラムは、ユーザが興味を示したことを示す所作を検出する所作検出機能と、ユーザの前記所作が検出された際の当該ユーザの周辺の状況についての情報である周辺状況情報を取得する状況情報取得機能と、をコンピュータに実現させるためのプログラムである。
【発明の効果】
【０００８】
本発明によれば、ユーザが興味を示す対象物をより広い範囲に亘って特定できる。
【図面の簡単な説明】
【０００９】
【図１】情報処理システムの全体構成を示した図である。
【図２】室内機器を説明する図である。
【図３】管理サーバのハードウエアの構成を示した図である。
【図４】管理サーバのＣＰＵ等により実現される機能部を示した図である。
【図５】情報処理システムにて実行される処理の流れの一例を示したフローチャートである。
【図６】ユーザの動きを上方から見た場合の図である。
【図７】ユーザの動きを示した図である。
【図８】ユーザの居室の状態を示した図である。
【発明を実施するための形態】
【００１０】
以下、添付図面を参照して、本発明の実施の形態について説明する。
図１は、情報処理システム１の全体構成を示した図である。
情報処理システム１には、情報処理装置の一例としての管理サーバ３００が設けられている。さらに、情報処理システム１には、各家庭や各施設の各々に設置された室内機器２００が設けられている。
【００１１】
図２（室内機器２００を説明する図）に示すように、本実施形態の室内機器２００は、いわゆるロボットを模した機器であり、符号２Ａで示すように、人の顔を模した部分を有する。
より具体的には、室内機器２００には、液晶ディスプレイなどにより構成された表示装置２０１が設けられており、本実施形態では、この表示装置２０１に、人の顔に相当する画像が表示されることで、人の顔を模した部分が表示される。
【００１２】
さらに、本実施形態の室内機器２００は、表示装置２０１を下方から支持する胴体部分２０２、および、この胴体部分２０２に取り付けられた腕部分２０３を有する。
さらに、この腕部分２０３を動かすためのモータ（不図示）が、胴体部分２０２の内部に設けられている。また、胴体部分２０２には、互いに異なる色の光を出射する複数の光源２０４が設けられている。
【００１３】
さらに、室内機器２００には、上下方向へ移動可能に設けられた頭部２０８、この頭部２０８を上方へ付勢するコイルスプリング（不図示）、および、この頭部２０８が下降したことを検出するセンサ２０５Ｓが設けられている。
さらに、室内機器２００には、室内機器２００が設置された居室内の状況を撮影する撮影手段の一例としてのカメラ２０５Ｃが設けられている。また、室内機器２００には、この居室内の音を取得する音手段の一例としてのマイク２０５Ｍが設けられている。また、室内機器２００には、室内機器２００の位置情報を取得するＧＰＳ（Global Positioning System）（不図示）が設けられている。
室内機器２００の各々は、インターネットなどの通信回線４００（図１参照）を通じて管理サーバ３００に接続される。
【００１４】
図３は、管理サーバ３００のハードウエアの構成を示した図である。
管理サーバ３００は、コンピュータ装置により構成され、管理サーバ３００には、ＣＰＵ（Central Processing Unit）３０１、ＲＡＭ（Random Access Memory）３０２、ＲＯＭ（Read Only Memory）３０３が設けられている。また、ハードディスク装置などにより構成される記憶装置３０４が設けられている。さらに、管理サーバ３００には、外部との通信を行うための通信インタフェース（通信Ｉ／Ｆ）３０５が設けられている。
【００１５】
ＣＰＵ３０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、管理サーバ３００へ提供しうる。
また、ＣＰＵ３０１によって実行されるプログラムは、インターネットなどの通信手段を用いて管理サーバ３００へダウンロードしてもよい。
【００１６】
図４は、管理サーバ３００のＣＰＵ３０１等により実現される機能部を示した図である。
図４に示すように、管理サーバ３００は、所作検出部３２１、状況情報取得部３２２、要因検出部３２３、位置情報取得部３２４を備える。
ここで、所作検出部３２１、状況情報取得部３２２、要因検出部３２３、位置情報取得部３２４は、管理サーバ３００のＣＰＵ３０１が、記憶装置３０４等に格納されているプログラムを実行することで実現される。
【００１７】
所作検出手段の一例としての所作検出部３２１は、ユーザが対象物に対して興味を示したことを示す所作（動作）を検出する。
より具体的には、所作検出部３２１は、室内機器２００に設けられたカメラ２０５Ｃにより得られたユーザの映像や、室内機器２００に設けられたマイク２０５Ｍにより得られた音（ユーザの音声を含む音）を解析して、ユーザが特定の対象物に対して興味を示したことを示す所作（動作）を検出する。
【００１８】
付言すると、所作検出部３２１は、室内機器２００に設けられたカメラ２０５Ｃにより得られた映像や、室内機器２００に設けられたマイク２０５Ｍにより得られた音などを解析し、ユーザが、予め定められた特定の動作を行ったかを判断する。
そして、所作検出部３２１は、ユーザがこの特定の動作を行ったと判断した場合、ユーザが上記の所作を行ったと判断する。付言すると、所作検出部３２１は、ユーザがこの特定の動作を行ったと判断した場合、この特定の動作を、ユーザが興味を示したことを示す所作として検出する。
【００１９】
状況情報取得手段の一例としての状況情報取得部３２２は、ユーザの上記の所作が検出された際の、このユーザの周辺の状況についての情報である周辺状況情報を取得する。
より具体的には、本実施形態では、状況情報取得部３２２は、室内機器２００に設けられたカメラ２０５Ｃにより得られた映像であって、ユーザの上記の所作が検出された際の映像や、室内機器２００に設けられたマイク２０５Ｍにより得られた音であって、ユーザの上記の所作が検出された際の音を、周辺状況情報として取得する。
【００２０】
要因検出手段の一例としての要因検出部３２３は、状況情報取得部３２２により取得された周辺状況情報（映像や音）から、ユーザの上記の所作の要因を検出する。付言すると、要因検出部３２３は、カメラ２０５Ｃにより得られた映像や、マイク２０５Ｍにより得られた音などを解析して、ユーザの上記の所作の要因を検出する。
位置情報取得手段の一例としての位置情報取得部３２４は、ユーザの各々の位置情報を取得する。具体的には、位置情報取得部３２４は、例えば、室内機器２００から送信されてくる位置情報（室内機器２００に設けられたＧＰＳにより得られた位置情報）を受信して、この室内機器２００のカメラ２０５Ｃに写るユーザの位置情報を取得する。
【００２１】
図５は、本実施形態の情報処理システム１にて実行される処理の流れの一例を示したフローチャートである。
本実施形態では、所作検出部３２１が、カメラ２０５Ｃにより取得された映像やマイク２０５Ｍにより得られた音などを解析し、ユーザが予め定められた動作を行ったか否かを判断する（ステップＳ１０１）。
付言すると、所作検出部３２１は、カメラ２０５Ｃにより取得される映像やマイク２０５Ｍにより取得される音を監視し、ユーザが予め定められた動作を行ったか否かを判断する。
【００２２】
そして、所作検出部３２１は、ユーザが予め定められた動作を行ったと判断した場合、ユーザが対象物に対して興味を示したことを示す所作（以下、単に「所作」と称する。）を行ったと判断する。付言すると、所作検出部３２１は、所作を検出する（ステップＳ１０２）。
言い換えると、本実施形態では、所作検出部３２１は、ユーザが予め定められた動作を行った場合に、ユーザが対象物に対して興味を示したことを示す所作を検出する。
【００２３】
次いで、本実施形態では、状況情報取得部３２２が、ユーザの上記所作が検出された際の、このユーザの周辺の状況についての情報である周辺状況情報を取得する（ステップＳ１０３）。
具体的には、状況情報取得部３２２は、カメラ２０５Ｃにより得られた映像であって、ユーザの上記の所作が検出された際にこのカメラ２０５Ｃにより得られた映像を、周辺状況情報として取得する。
また、状況情報取得部３２２は、マイク２０５Ｍにより得られた音であって、ユーザの上記の所作が検出された際にこのマイク２０５Ｍにより得られた音を、周辺状況情報として取得する。
【００２４】
より具体的には、状況情報取得部３２２は、例えば、ユーザの上記の所作が検出されたタイミングから過去に予め定められた時間だけ遡ったときを始まりとして、この所作が検出されてから予め定められた時間が経過するまでの間における、映像（カメラ２０５Ｃにより得られた映像）や音（マイク２０５Ｍにより得られた音）を取得する。
【００２５】
その後、本実施形態では、要因検出部３２３が、状況情報取得部３２２により取得された周辺状況情報から、ユーザの所作の要因を検出する（ステップＳ１０４）。
より具体的には、要因検出部３２３は、状況情報取得部３２２により取得された上記の映像や音から、ユーザの所作の要因を検出する。
これにより、本実施形態では、ユーザが興味を持った対象物を特定できるようになる。
【００２６】
ここで、ユーザが興味を示す対象物の特定にあたっては、例えば、対象となる対象物の各々をユーザに提示し、ユーザからの回答を得ることで、提示された対象物に対してユーザの興味があるか否かの判断を行える。
具体的には、たとえば、スマートフォンやタブレット、ＰＣ等にて、対象物を提示し、これに対して行われる「いいね」等の操作に基づき、ユーザが対象物に対して興味があるか否かの判断を行える。
【００２７】
ところで、この場合は、ユーザが興味を抱いているか否かの判断の対象となる対象物の範囲が、ユーザに提示される対象物に限られてしまう。
これに対し、本実施形態では、所作がユーザにより行われた際に（所作が検出された際に）、ユーザの周囲にて起きた事象の全てが、ユーザが興味を示した対象物の候補となる。
この場合、対象物をユーザに提示して、ユーザが興味を抱いている対象物を特定する場合に比べ、ユーザが興味を示す対象物をより広い範囲に亘って特定できるようになる。
【００２８】
ここで、本実施形態では、上記のとおり、所作検出部３２１が、ユーザが対象物に対して興味を示したことを示す所作を検出する。より具体的には、所作検出部３２１は、予め定められたユーザの動作を検出して、この所作を検出する。
ここで、所作検出部３２１は、ユーザが興味を示したことを示す上記の所作として、例えば、ユーザが特定の方向を予め定められた時間（例えば、３秒）を超えて見る動作を検出する。
【００２９】
より具体的には、所作検出部３２１は、カメラ２０５Ｃにより得られた映像を解析し、この映像に含まれるユーザが、特定の方向を予め定められた時間を超えて見る動作を検出する。
ユーザが対象物に対して興味を抱いている場合、ユーザがこの対象物を凝視することも多く、ユーザが特定の方向を予め定められた時間を超えて見る動作を行った場合、ユーザが特定の対象物に対して興味を抱いていることが想定される。
【００３０】
なお、ユーザの他の動作を、上記の所作として検出してもよい。
例えば、所作検出部３２１は、ユーザが興味を示したことを示す所作として、予め定められた内容の音声を発するユーザの動作を検出してもよい。
具体的には、所作検出部３２１は、「すごい」、「面白い」、「つまらない」などの音声を発するユーザの動作を、上記の所作として検出してもよい。
【００３１】
より具体的には、所作検出部３２１は、マイク２０５Ｍにて得られた音を解析することで、「すごい」、「面白い」、「つまらない」などの音声を発するユーザの動作を検出し、この動作を上記の所作として検出する。
ここで、ユーザがテレビなどを視聴している際に、「すごい」、「面白い」、「つまらない」などの音声をユーザが発することがあり、このような音声が発せられた場合、ユーザが、テレビ等にて放映されている放映内容に、興味を抱いていることが想定できる。
【００３２】
また、その他に、所作検出部３２１は、ユーザが興味を示したことを示す所作として、ユーザが一方向に向かって移動する動作を検出してもよい。
より具体的には、所作検出部３２１は、カメラ２０５Ｃにより得られた映像に含まれるユーザが、一方向に向かって移動している場合に、この移動する動作を検出し、この動作を、所作として検出してもよい。
【００３３】
ユーザが何かしらの対象物に興味を抱いた場合、例えば、図６（ユーザの動きを上方から見た場合の図）に示すように、ユーザが、対象物に向かって（一方向に向かって）移動することが想定される。
この場合、ユーザのこの動きを検出すれば、ユーザが、特定の対象物に興味を抱いていることを実質的に検出できるようになる。
【００３４】
また、その他に、所作検出部３２１は、ユーザが興味を示したことを示す所作として、ユーザの顔の表情の変化を検出してもよい。
より具体的には、所作検出部３２１は、ユーザの顔の表情の変化として、例えば、顔が、無表情の状態から、笑った顔や怒った顔になったことを検出する。
ユーザが何かしらの対象物に興味を抱いた場合、ユーザの顔の表情が変化することが想定される。この場合、ユーザの顔の変化を検出するようにすれば、ユーザが、特定の対象物に興味を抱いたことを実質的に検出できるようになる。
【００３５】
また、その他に、所作検出部３２１は、ユーザが興味を示したことを示す所作として、ユーザが室内機器２００に触れる動作を検出してもよい。より具体的には、所作検出部３２１は、例えば、ユーザが、室内機器２００の頭部２０８（図２参照）を撫でる動作を検出してもよい。
【００３６】
例えば、「興味を抱く対象物がある場合には、室内機器２００の頭部２０８を撫でてください」を旨とするメッセージをユーザに予め通知している場合において、ユーザが、室内機器２００の頭部２０８を撫でた場合、このユーザは、特定の対象物に興味を抱いていることになる。
この場合、ユーザが室内機器２００の頭部２０８を撫でた（触った）ことを検出するようにすれば、ユーザが特定の対象物に興味を抱いたことを検出できるようになる。
【００３７】
なお、ユーザが室内機器２００の頭部２０８を撫でたか否かは、室内機器２００に設けられたセンサ２０５Ｓからの出力に基づき判断できる。
本実施形態では、頭部２０８が下降すると、センサ２０５Ｓがこの頭部２０８を検出するようになっており、センサ２０５Ｓが頭部２０８を検出した場合には、ユーザが頭部２０８を撫でたことになる。
【００３８】
また、所作検出部３２１は、ユーザが興味を示したことを示す所作として、同意又は反同意の何れかを示すユーザの動きを検出してもよい。
より具体的には、この場合、所作検出部３２１は、ユーザが興味を示したことを示す所作として、図７（ユーザの動きを示した図）の矢印７Ａで示すような、ユーザが頭部２０８を縦に動かす動作（うなずく動作）、又は、矢印７Ｂで示すような、ユーザが頭部２０８を横に動かす動作（否定することを示す動作）の何れかを検出する。
【００３９】
ユーザが何かしらの対象物に興味を抱いた場合、ユーザは、うなずいたり、頭を横に振ったりすることがある。
ユーザの、このうなずきや、頭を横に振る動きを検出すれば、ユーザが、特定の対象物に対して興味を抱いていることを実質的に検出できるようになる。
なお、ユーザのうなずきや、頭を横に振る動作は、カメラ２０５Ｃにより取得された映像を解析することで検出できる。
【００４０】
次に、要因検出部３２３による、所作の要因の検出処理について説明する。
要因検出部３２３は、所作検出部３２１によって所作（予め定められ動作）が検出された場合、この所作の要因の検出処理を行う。
具体的には、要因検出部３２３は、例えば、所作検出部３２１により所作が検出された際にこのユーザの周辺にて起きた事象を、所作の要因として検出する。
例えば、要因検出部３２３は、所作検出部３２１により所作が検出された際に、テレビに映っている映像が変化した場合には（カメラ２０５Ｃにより得られた映像に映っているテレビにおける放送内容が変化した場合には）、この映像の変化や、変化後の映像を、所作の要因として検出する。
【００４１】
また、その他に、要因検出部３２３は、例えば、ユーザの視線の先にて起きた事象を、所作の要因として検出してもよい。
具体的には、要因検出部３２３は、例えば、所作検出部３２１により所作が検出された際に、図８（ユーザの居室の状態を示した図）に示すように、ユーザの視線の先にテレビがあった場合、このテレビ自体や、このテレビにて放送されている放送内容を、所作の要因として検出する。
また、要因検出部３２３は、例えば、所作検出部３２１により所作が検出された際に、ユーザの視線の先に、人や犬などの動物がいた場合、この人や動物を、所作の要因として検出する。
【００４２】
このように、ユーザの視線の先にて起きた事象を、所作の要因として検出する場合は、所作の要因を絞り込める。
上記のように、ユーザの周辺にて起きた事象を、所作の要因として検出する場合、ユーザの周囲にて起きた全ての事象が、ユーザの所作の要因の候補となり、この所作の要因を絞り込みにくくなる。
これに対し、ユーザの視線の先にて起きた事象を、所作の要因として検出する場合、所作の要因の候補が減り、所作の要因を絞り込める。
【００４３】
また、その他に、要因検出部３２３は、例えば、所作が検出された際にユーザの周囲にてなされていた放送を、所作の要因として検出してもよい。
例えば、要因検出部３２３は、所作が検出された際にテレビがオンされ、番組が放送されている場合（カメラ２０５Ｃにより得られた映像に、オンされたテレビが映り番組が放送されている場合）、この放送（番組）を所作の要因として検出してもよい。
【００４４】
また、要因検出部３２３は、テレビに限らず、ラジオがついている場合には、このラジオによる放送（番組）を所作の要因として検出してもよい。
さらに、この場合、要因検出部３２３は、これらの放送についての情報（番組名や放送内容についての情報）を、インターネットなどを通じて、取得してもよい。
【００４５】
また、その他に、要因検出部３２３は、例えば、所作が検出された際にユーザの周辺にて実行されているイベントを、所作の要因として検出してもよい。
ここで、この検出処理を行う場合は、まず、状況情報取得部３２２が、周辺状況情報として、ユーザの周辺にて実行されるイベントについての情報を取得する。
【００４６】
より具体的には、本実施形態では、上記のとおり、位置情報取得部３２４により、ユーザの位置情報（室内機器２００の位置情報）が取得されるが、状況情報取得部３２２は、この位置情報により特定される位置の周辺にて実行されるイベントについての情報を、インターネットなどを通じて取得する。
付言すると、状況情報取得部３２２は、所作を行ったユーザの位置情報により特定される位置の周辺にて実行されるイベントについての情報を、インターネットなどを通じて取得する。
【００４７】
そして、要因検出部３２３は、取得されたこのイベントについての情報により特定されるイベントを、所作の要因として検出する。
この場合、所作が検出された際にユーザの周辺にて実行されている、花火大会などのイベントが、所作の要因として検出されることになる。
ここで、例えば、ユーザの自宅の窓の外で花火大会などがあることも想定され、本実施形態では、この花火大会なども所作の要因として検出できるようになる。付言すると、室内機器２００のカメラ２０５Ｃに写らない事象についても、所作の要因として検出できるようになる。
【００４８】
また、その他に、要因検出部３２３は、ユーザの所作が検出された際にこのユーザの周囲に位置する人物を、所作の要因として検出してもよい。
より具体的には、要因検出部３２３は、カメラ２０５Ｃにより得られた映像を解析した結果、例えば、ユーザの所作が検出された際に、このユーザと同じ部屋に、ユーザ以外の人物がいる場合、この人物を所作の要因として検出してもよい。
【００４９】
さらに、本実施形態では、要因検出部３２３は、所作検出部３２１が設けられている機器以外にて起きた事象の中から、所作の要因を検出する構成となっている。
具体的には、本実施形態では、所作検出部３２１が管理サーバ３００に設けられているが、要因検出部３２３は、この管理サーバ３００以外にて起きた事象の中から、所作の要因を検出するようになっている。
【００５０】
ここで、比較例として、タブレット端末に設けられたタッチパネルに対するユーザの選択操作を、上記の所作として捉え、この所作があった場合には、この選択操作により選択された対象物（タブレット端末の表示画面に表示されている表示物）を所作の要因として捉える態様も考えられる。
【００５１】
この場合、タッチパネル等が所作検出部３２１となり、要因検出部３２３は、この所作検出部３２１が設けられているタブレット端末にて起きた事象の中から、所作の要因を検出することになる。
具体的には、この場合、要因検出部３２３は、タブレット端末に表示された表示物（ユーザによる選択操作があった表示物）を、所作の要因として検出することになる。
【００５２】
ところで、この場合は、検出される、所作の要因が、タブレット端末に表示された表示物のみに限られることになる。付言すると、検出される、所作の要因が、タブレット端末にて起きた事象のみに限られることになる。
これに対し、本実施形態のように、所作検出部３２１が設けられている機器以外にて起きた事象の中から、所作の要因を検出する構成であると、より広い候補の中から、所作の要因を検出できるようになる。
【符号の説明】
【００５３】
１…情報処理システム、２００…室内機器、３００…管理サーバ、３２１…所作検出部、３２２…状況情報取得部、３２３…要因検出部、３２４…位置情報取得部
【図１】
2020064376.tif 000003
【図２】
2020064376.tif 000004
【図３】
2020064376.tif 000005
【図４】
2020064376.tif 000006
【図５】
2020064376.tif 000007
【図６】
2020064376.tif 000008
【図７】
2020064376.tif 000009
【図８】
2020064376.tif 000010